(57)【特許請求の範囲】
【請求項１】
記録シートに画像を形成する画像形成部と、前記画像形成部から送られてくる前記記録シートを波打たせて該記録シートに腰を付ける腰付け部材が設けられたシート排出部とを備えた画像形成装置本体に対して、前記シート排出部からの前記記録シートを搬送するシート搬送装置が着脱可能に接続される画像形成装置であって、
前記シート搬送装置が前記画像形成装置本体に接続されたときに、前記シート排出部における前記腰付け部材を前記腰付け部材が前記記録シートに腰を付ける腰付け位置から退避させる構成とされており、
前記シート排出部は、前記記録シートを排出する排出ローラと、前記排出ローラの回転軸線回りに揺動自在とされる一方、前記腰付け部材を前記排出ローラの回転軸線の位置とは異なる位置で支持する腰付け部材支持部とを備えていることを特徴とする画像形成装置。
【請求項２】
記録シートに画像を形成する画像形成部と、前記画像形成部から送られてくる前記記録シートを波打たせて該記録シートに腰を付ける腰付け部材が設けられたシート排出部とを備えた画像形成装置本体に対して、前記シート排出部からの前記記録シートを搬送するシート搬送装置が着脱可能に接続される画像形成装置であって、
前記シート搬送装置が前記画像形成装置本体に接続されたときに、前記シート排出部における前記腰付け部材を前記腰付け部材が前記記録シートに腰を付ける腰付け位置から退避させる構成とされており、
前記腰付け部材を移動させるための駆動部と、
前記シート搬送装置が前記画像形成装置本体に接続されたか否かを検知する接続検知部と
を備え、
前記接続検知部による検知結果により前記シート搬送装置が前記画像形成装置本体に接続されたことを検出すると、前記駆動部を駆動して前記腰付け部材を前記腰付け位置から退避させることを特徴とする画像形成装置。
【請求項３】
記録シートに画像を形成する画像形成部と、前記画像形成部から送られてくる前記記録シートを波打たせて該記録シートに腰を付ける腰付け部材が設けられたシート排出部とを備えた画像形成装置本体に対して、前記シート排出部からの前記記録シートを搬送するシート搬送装置が着脱可能に接続される画像形成装置であって、
前記シート搬送装置が前記画像形成装置本体に接続されたときに、前記シート排出部における前記腰付け部材を前記腰付け部材が前記記録シートに腰を付ける腰付け位置から退避させる構成とされており、
前記腰付け部材が退避した退避位置は、前記シート搬送装置における前記記録シートの搬送路へガイドする位置とされていることを特徴とする画像形成装置。
【請求項４】
請求項２又は請求項３に記載の画像形成装置であって、
前記シート排出部は、前記記録シートを排出する排出ローラと、前記排出ローラの回転軸線回りに揺動自在とされる一方、前記腰付け部材を前記排出ローラの回転軸線の位置とは異なる位置で支持する腰付け部材支持部とを備えていることを特徴とする画像形成装置。
【請求項５】
請求項３に記載の画像形成装置であって、
前記腰付け部材を移動させるための駆動部と、
前記シート搬送装置が前記画像形成装置本体に接続されたか否かを検知する接続検知部と
を備え、
前記接続検知部による検知結果により前記シート搬送装置が前記画像形成装置本体に接続されたことを検出すると、前記駆動部を駆動して前記腰付け部材を前記腰付け位置から退避させることを特徴とする画像形成装置。
【請求項６】
請求項１に記載の画像形成装置であって、
前記腰付け部材を前記腰付け位置から前記搬送方向の下流側に退避させることを特徴とする画像形成装置。
【請求項７】
請求項２、請求項３又は請求項５に記載の画像形成装置であって、
前記腰付け部材を前記腰付け位置から前記搬送方向の下流側に退避させることを特徴とする画像形成装置。
【請求項８】
請求項１、請求項４又は請求項６に記載の画像形成装置であって、
前記シート搬送装置は、前記腰付け部材支持部と係合する係合部を備え、前記シート搬送装置が前記画像形成装置本体に接続されたときに、前記シート搬送装置における前記係合部が前記腰付け部材支持部に係合することにより前記腰付け部材を前記腰付け位置から退避させる構成とされていることを特徴とする画像形成装置。
【請求項９】
請求項２、請求項３、請求項５又は請求項７に記載の画像形成装置であって、
前記シート排出部は、前記記録シートを排出する排出ローラと、前記排出ローラの回転軸線回りに揺動自在とされる一方、前記腰付け部材を前記排出ローラの回転軸線の位置とは異なる位置で支持する腰付け部材支持部とを備えており、
前記シート搬送装置は、前記腰付け部材支持部と係合する係合部を備え、前記シート搬送装置が前記画像形成装置本体に接続されたときに、前記シート搬送装置における前記係合部が前記腰付け部材支持部に係合することにより前記腰付け部材を前記腰付け位置から退避させる構成とされていることを特徴とする画像形成装置。
【請求項１０】
請求項１から請求項９までの何れか１つに記載の画像形成装置であって、
前記シート搬送装置の前記画像形成装置本体への接続が解除されたときに、前記シート排出部における前記腰付け部材を前記腰付け部材が退避した退避位置から前記腰付け位置に戻す構成とされていることを特徴とする画像形成装置。
【請求項１１】
請求項１から請求項１０までの何れか１つに記載の画像形成装置であって、
前記シート搬送装置が前記画像形成装置本体の胴内に装着される構成とされていることを特徴とする画像形成装置。
【発明の詳細な説明】
【技術分野】
【０００１】
本発明は、記録シートを搬送するシート搬送装置が画像形成装置本体に着脱可能に接続される画像形成装置に関する。
【背景技術】
【０００２】
画像形成装置において、記録用紙等の記録シートを波打たせて該記録シートに腰を付ける腰付け部材が設けられたシート排出部が画像形成装置本体に設けられることで、記録シート（特に比較的腰の弱い記録シート）が排出した後の記録シートが排出トレイに載せられる際に記録シートの丸まりや先端の垂れ下がりといった形状変化を抑制する構成が従来から知られている。
【０００３】
図１４は、従来の画像形成装置における画像形成装置本体のシート排出部Ａ１の排出口Ａ２側を斜め下方から視た斜視図である。また、図１５は、図１４に示すシート排出部Ａ１における排出ローラＡ３及び腰付け部材Ａ４を示す斜視図である。
【０００４】
図１４及び図１５に示すように、腰付け部材Ａ４は、記録シートＰの搬送方向Ｗに直交するシート面に沿った直交方向Ｖに記録シートＰを波打たせて記録シートＰに腰を付けるようになっている。
【０００５】
このような画像形成装置においては、シート排出部Ａ１からの記録シートＰを搬送するシート搬送装置が画像形成装置本体に着脱可能に接続されると、次のような不都合を招く。
【０００６】
図１６は、図１４に示すシート排出部Ａ１からの記録シートＰを搬送するシート搬送装置Ａ５の入口Ａ６側を視た斜視図である。また、図１７は、図１６に示すシート搬送装置Ａ５の入口Ａ６部分を拡大して示す斜視図である。
【０００７】
図１６及び図１７に示すように、シート搬送装置Ａ５（この例ではインナーフィニッシャー）が画像形成装置本体に接続される場合には、腰付け部材Ａ４（図１４及び図１５参照）がシート排出部Ａ１（図１４参照）に設けられる必要はなく、むしろ腰付け部材Ａ４がシート排出部Ａ１に設けられていると、記録シートＰ（図１７参照）はシート排出部Ａ１から腰付け部材Ａ４により波打ち状態で排出されることから、画像形成装置本体とシート搬送装置Ａ５との繋ぎ部分で引っかかって記録シートＰの搬送性が低下したり、画像に影響を与えて画像品質が低下したりするといった不都合を招く。すなわち、画像形成装置において、腰付け部材Ａ４は、本来、シート搬送装置Ａ５の画像形成装置本体への接続時は不要なものであり、記録シートＰの搬送性や画像品質を向上させるという観点から、シート排出部Ａ１から取り外すべきものとされている。
【０００８】
この点に関し、特許文献１は、画像形成装置において、腰付け部材を定着装置（シート排出部）に対して着脱可能とし、オプション装置（シート搬送装置）が画像形成装置本体に装着される際に、腰付け部材を定着装置（シート排出部）から取り外す構成を開示している（特に特許文献１の段落［００５７］−［００５８］等参照）。
【先行技術文献】
【特許文献】
【０００９】
【特許文献１】特開２００２−１８２４４１号公報
【発明の概要】
【発明が解決しようとする課題】
【００１０】
しかしながら、特許文献１に記載の画像形成装置では、シート搬送装置を画像形成装置本体に装着する場合には、シート搬送装置が画像形成装置本体に装着されるごとに腰付け部材をシート排出部から取り外す必要があり、非常に手間がかかる。また、腰付け部材をシート排出部から取り忘れた場合には、記録シートの搬送性の低下といった不都合を招くという課題がある。
【００１１】
そこで、本発明は、記録シートを波打たせて該記録シートに腰を付ける腰付け部材が設けられたシート排出部を備えた画像形成装置本体に対して、シート排出部からの記録シートを搬送するシート搬送装置が着脱可能に接続される画像形成装置であって、シート搬送装置が画像形成装置本体に装着されるごとの腰付け部材のシート排出部からの取り外し作業の手間を省くことができ、また、腰付け部材のシート排出部からの取り忘れによる記録シートの搬送性の低下といった不都合を効果的に防止することができる画像形成装置を提供することを目的とする。
【課題を解決するための手段】
【００１２】
本発明は、前記課題を解決するために、次の第１態様から第３態様の画像形成装置を提供する。
（１）第１態様の画像形成装置
第１態様の画像形成装置は、記録シートに画像を形成する画像形成部と、前記画像形成部から送られてくる前記記録シートを波打たせて該記録シートに腰を付ける腰付け部材が設けられたシート排出部とを備えた画像形成装置本体に対して、前記シート排出部からの前記記録シートを搬送するシート搬送装置が着脱可能に接続される画像形成装置であって、前記シート搬送装置が前記画像形成装置本体に接続されたときに、前記シート排出部における前記腰付け部材を前記腰付け部材が前記記録シートに腰を付ける腰付け位置から退避させる構成とされており、前記シート排出部は、前記記録シートを排出する排出ローラと、前記排出ローラの回転軸線回りに揺動自在とされる一方、前記腰付け部材を前記排出ローラの回転軸線の位置とは異なる位置で支持する腰付け部材支持部とを備えていることを特徴とする。
（２）第２態様の画像形成装置
第２態様の画像形成装置は、記録シートに画像を形成する画像形成部と、前記画像形成部から送られてくる前記記録シートを波打たせて該記録シートに腰を付ける腰付け部材が設けられたシート排出部とを備えた画像形成装置本体に対して、前記シート排出部からの前記記録シートを搬送するシート搬送装置が着脱可能に接続される画像形成装置であって、前記シート搬送装置が前記画像形成装置本体に接続されたときに、前記シート排出部における前記腰付け部材を前記腰付け部材が前記記録シートに腰を付ける腰付け位置から退避させる構成とされており、前記腰付け部材を移動させるための駆動部と、前記シート搬送装置が前記画像形成装置本体に接続されたか否かを検知する接続検知部とを備え、前記接続検知部による検知結果により前記シート搬送装置が前記画像形成装置本体に接続されたことを検出すると、前記駆動部を駆動して前記腰付け部材を前記腰付け位置から退避させることを特徴とする。
（３）第３態様の画像形成装置
第３態様の画像形成装置は、記録シートに画像を形成する画像形成部と、前記画像形成部から送られてくる前記記録シートを波打たせて該記録シートに腰を付ける腰付け部材が設けられたシート排出部とを備えた画像形成装置本体に対して、前記シート排出部からの前記記録シートを搬送するシート搬送装置が着脱可能に接続される画像形成装置であって、前記シート搬送装置が前記画像形成装置本体に接続されたときに、前記シート排出部における前記腰付け部材を前記腰付け部材が前記記録シートに腰を付ける腰付け位置から退避させる構成とされており、前記腰付け部材が退避した退避位置は、前記シート搬送装置における前記記録シートの搬送路へガイドする位置とされていることを特徴とする。
【００１３】
本発明において、前記腰付け部材を前記腰付け位置から前記搬送方向の下流側に退避させる態様を例示できる。
【００１４】
本発明において、前記シート排出部は、前記記録シートを排出する排出ローラと、前記排出ローラの回転軸線回りに揺動自在とされる一方、前記腰付け部材を前記排出ローラの回転軸線の位置とは異なる位置で支持する腰付け部材支持部とを備えている態様を例示できる。
【００１５】
本発明において、前記腰付け部材を移動させるための駆動部と、前記シート搬送装置が前記画像形成装置本体に接続されたか否かを検知する接続検知部とを備え、前記接続検知部による検知結果により前記シート搬送装置が前記画像形成装置本体に接続されたことを検出すると、前記駆動部を駆動して前記腰付け部材を前記腰付け位置から退避させる態様を例示できる。
【００１６】
本発明において、前記シート搬送装置は、前記腰付け部材支持部と係合する係合部を備え、前記シート搬送装置が前記画像形成装置本体に接続されたときに、前記シート搬送装置における前記係合部が前記腰付け部材支持部に係合することにより前記腰付け部材を前記腰付け位置から退避させる構成とされている態様を例示できる。
【００１８】
本発明において、前記シート搬送装置の前記画像形成装置本体への接続が解除されたときに、前記シート排出部における前記腰付け部材を前記腰付け部材が退避した退避位置から前記腰付け位置に戻す構成とされている態様を例示できる。
【００１９】
本発明において、前記シート搬送装置が前記画像形成装置本体の胴内に装着される構成とされている態様を例示できる。
【発明の効果】
【００２０】
本発明によると、記録シートを波打たせて該記録シートに腰を付ける腰付け部材が設けられたシート排出部を備えた画像形成装置本体に対して、シート排出部からの記録シートを搬送するシート搬送装置が着脱可能に接続される画像形成装置であって、シート搬送装置が画像形成装置本体に装着されるごとの腰付け部材のシート排出部からの取り外し作業の手間を省くことができ、また、腰付け部材のシート排出部からの取り忘れによる記録シートの搬送性の低下といった不都合を効果的に防止することができる画像形成装置を提供することができる。
【図面の簡単な説明】
【００２１】
【図１】本発明の実施の形態に係る画像形成装置の概略構成を示す正面図である。
【図２】図１に示す画像形成装置における画像形成装置本体の胴内に装着されるシート搬送装置の一例であるインナーフィニッシャーが画像形成装置本体に装着される状態を示す正面図である。
【図３】第１実施形態に係る画像形成装置における制御部の制御構成を概略的に示すブロック図である。
【図４】第１実施形態に係る画像形成装置における画像形成装置本体のシート排出部を排出口側から視た概略側面図である。
【図５】第１実施形態に係る画像形成装置における画像形成装置本体のシート排出部の図４に示すＡ−Ａ線に沿った断面を軸線方向（奥行き方向）の奥側から視た概略断面図であって、腰付け部材が腰付け位置に位置している状態を示す図である。
【図６】第１実施形態に係る画像形成装置における画像形成装置本体のシート排出部の図４に示すＡ−Ａ線に沿った断面を軸線方向（奥行き方向）の奥側から視た概略断面図であって、腰付け部材が退避位置に位置している状態を示す図である。
【図７】第１実施形態に係る画像形成装置における接続検知部を軸線方向（奥行き方向）から視た概略正面図であって、接続検知部がシート搬送装置の画像形成装置本体への非接続を検知している状態を示す図である。
【図８】第１実施形態に係る画像形成装置における接続検知部を軸線方向（奥行き方向）から視た概略正面図であって、接続検知部がシート搬送装置の画像形成装置本体への接続を検知している状態を示す図である。
【図９】第２実施形態に係る画像形成装置における画像形成装置本体のシート排出部を排出口側から視た概略側面図である。
【図１０】第２実施形態に係る画像形成装置における画像形成装置本体のシート排出部の図９に示すＢ−Ｂ線に沿った断面を軸線方向（奥行き方向）の奥側から視た概略断面図であって、腰付け部材が腰付け位置に位置している状態を示す図である。
【図１１】第２実施形態に係る画像形成装置における画像形成装置本体のシート排出部の図９に示すＢ−Ｂ線に沿った断面を軸線方向（奥行き方向）の奥側から視た概略断面図であって、腰付け部材が退避位置に位置している状態を示す図である。
【図１２】画像形成装置本体からの記録シートをオプション装置に向けて搬送するインナー中継搬送装置を備えた第３実施形態に係る画像形成装置を模式的に示す正面図である。
【図１３】図１２に示すオプション装置のうちのアウターフィニッシャーがインナー中継搬送装置を介して画像形成装置本体に接続される状態の第３実施形態に係る画像形成装置の概略構成を示す正面図である。
【図１４】従来の画像形成装置における画像形成装置本体のシート排出部の排出口側を斜め下方から視た斜視図である。
【図１５】図１４に示すシート排出部における排出ローラ及び腰付け部材を示す斜視図である。
【図１６】図１４に示すシート排出部からの記録シートを搬送するシート搬送装置の入口側を視た斜視図である。
【図１７】図１６に示すシート搬送装置の入口部分を拡大して示す斜視図である。
【発明を実施するための形態】
【００２２】
以下、本発明に係る実施の形態について図面を参照しながら説明する。
【００２３】
図１は、本発明の実施の形態に係る画像形成装置１００の概略構成を示す正面図である。なお、図１及び後述する図２、図４から図１３において、符号Ｘは左右方向を示し、符号Ｙは奥行き方向を示し、符号Ｚは上下方向を示している。
【００２４】
図１に示すように、画像形成装置１００は、画像形成装置本体１１０と原稿読取装置１２０とを備えている。
【００２５】
原稿読取装置１２０は、画像形成装置本体１１０の上部に設けられており、原稿載置台１２１、原稿読取部１２２及び原稿自動送り装置１２３を備えている。原稿読取装置１２０は、原稿載置台１２１に載置された原稿の画像を原稿読取部１２２にて読み取るか又は原稿自動送り装置１２３にて自動的に送られる原稿の画像を原稿読取部１２２にて読み取り、読み取った原稿の画像データを画像形成装置本体１１０に送信する。
【００２６】
画像形成装置本体１１０は、シート収容部１１１、シート搬送部１１２、画像形成部１１３及びシート排出部２００を有している。画像形成装置本体１１０は、記録用紙等の記録シートＰをシート収容部１１１に収容し、シート収容部１１１に収容された記録シートＰをシート搬送部１１２にて搬送し、シート搬送部１１２にて搬送された記録シートＰに原稿読取装置１２０又は外部から送信されてきた画像データに基づいてカラー画像又はモノクロ画像を画像形成部１１３にて形成し、画像形成部１１３にて画像を形成した記録シートＰをシート排出部２００にて排出するようになっている。
【００２７】
本実施の形態において、シート排出部２００には、画像形成部１１３から送られてくる記録シートＰを波打たせて記録シートＰに腰を付ける腰付け部材２１０が設けられている。腰付け部材２１０は、記録シートＰの搬送方向Ｗに直交するシート面に沿った直交方向Ｖ又は略直交方向に記録シートＰを波打たせて記録シートＰに腰を付けるものである。
【００２８】
本実施の形態において、画像形成装置１００は、画像形成装置本体１１０に対して、シート排出部２００からの記録シートＰを搬送するシート搬送装置１６０が着脱可能に接続されるようになっている。
【００２９】
シート搬送装置１６０は、この例では、画像形成装置本体１１０の胴内αに装着される構成とされている。画像形成装置本体１１０の胴内に装着される構成とされたシート搬送装置１６０は、この例では、インナーフィニッシャー１６１とされている。
【００３０】
図２は、図１に示す画像形成装置１００における画像形成装置本体１１０の胴内αに装着されるシート搬送装置１６０の一例であるインナーフィニッシャー１６１が画像形成装置本体１１０に装着される状態を示す正面図である。
【００３１】
図２に示すインナーフィニッシャー１６１は、シート排出部２００から送られてきた記録シートＰを自動的に仕分けしてステープル止めする機能を有している。
【００３２】
そして、画像形成装置１００は、シート搬送装置１６０（この例ではインナーフィニッシャー１６１）が画像形成装置本体１１０に接続されたときに、シート排出部２００における腰付け部材２１０を腰付け部材２１０が記録シートＰに腰を付ける腰付け位置から退避させる構成とされている。また、画像形成装置１００は、シート搬送装置１６０の画像形成装置本体１１０への接続が解除されたときに、シート排出部２００における腰付け部材２１０を腰付け部材２１０が退避した退避位置から腰付け位置に戻す構成とされている。この例では、画像形成装置１００は、次の第１実施形態又は第２実施形態の構成とされている。ここで、腰付け位置は、記録シートＰの搬送路Ｒ上において記録シートＰが搬送できる程度に腰付け部材２１０が搬送路Ｒの直交方向Ｖにおける一部を塞ぐ予め定めた所定の位置とされている。また、退避位置は、記録シートＰに腰を付けない位置（搬送される記録シートＰに腰付け部材２１０が接触しない位置）とされている。
【００３３】
（第１実施形態）
第１実施形態に係る画像形成装置１００は、画像形成装置１００全体の制御を司る制御部１５０（図３参照）をさらに備えている。
【００３４】
図３は、第１実施形態に係る画像形成装置１００における制御部１５０の制御構成を概略的に示すブロック図である。
【００３５】
図３に示すように、制御部１５０は、ＣＰＵ（Ｃｅｎｔｒａｌ  Ｐｒｏｃｅｓｓｉｎｇ  Ｕｎｉｔ）等のマイクロコンピュータからなる処理部１５１と、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）やデータ書き換え可能な不揮発性メモリ等の記憶装置を含む記憶部１５２とを含んでいる。
【００３６】
制御部１５０は、処理部１５１が記憶部１５２のＲＯＭに予め格納された制御プログラムを記憶部１５２のＲＡＭ上にロードして実行することにより、各種構成要素の作動制御を行うようになっている。記憶部１５２のＲＡＭは、それぞれ、処理部１５１に対して作業用のワークエリア及び画像データを格納する画像メモリとしての領域を提供する。
【００３７】
第１実施形態に係るシート排出部２００（２００Ａ）は、腰付け部材２１０を移動させるための駆動部１７０と、シート搬送装置１６０が画像形成装置本体１１０に接続されたか否かを検知する接続検知部１８０とをさらに備えている。
【００３８】
駆動部１７０は、制御部１５０の出力系に電気的に接続されており、接続検知部１８０は、制御部１５０の入力系に電気的に接続されている。駆動部１７０は、制御部１５０の指示の下、腰付け位置と退避位置との間で腰付け部材２１０を移動させるようになっている。
【００３９】
そして、制御部１５０は、接続検知部１８０による検知結果によりシート搬送装置１６０が画像形成装置本体１１０に接続されたことを検出すると、駆動部１７０を駆動して腰付け部材２１０を腰付け位置から退避させる構成とされている。
【００４０】
図４は、第１実施形態に係る画像形成装置１００における画像形成装置本体１１０のシート排出部２００（２００Ａ）を排出口側から視た概略側面図である。
【００４１】
図４に示すように、シート排出部２００（２００Ａ）は、１又は複数（この例では５つ）の腰付け部材２１０〜２１０と、記録シートＰを排出する排出ローラ２２０と、排出ローラ２２０の回転軸線回りに揺動自在とされる一方、腰付け部材２１０〜２１０を排出ローラ２２０の回転軸線の位置とは異なる位置で支持する腰付け部材支持部２３０とを備えている。腰付け部材２１０〜２１０は、何れも同一構成のものとされている。
【００４２】
詳しくは、排出ローラ２２０は、記録シートＰを排出する一対の排出ローラ２２１，２２２とされている。腰付け部材支持部２３０は、一対の排出ローラ２２１，２２２のうちの一方（この例では第１排出ローラ２２１）の回転軸線回りに揺動自在とされる一方、腰付け部材２１０〜２１０を該一方（この例では第１排出ローラ２２１）の回転軸線の位置とは異なる位置で支持する構成とされている。一対の排出ローラ２２１，２２２のうちの他方（この例では第２排出ローラ２２２）は、一方（この例では第１排出ローラ２２１）に対向する位置に一方（この例では第１排出ローラ２２１）に対向して配設されている。
【００４３】
具体的には、シート排出部２００（２００Ａ）には、一対の排出ローラ２２１，２２２が複数対（この例では４対）設けられている。第１排出ローラ２２１〜２２１は、何れも同一構成のものとされ、第２排出ローラ２２２〜２２２は、何れも同一構成のものとされている。
【００４４】
第１排出ローラ２２１〜２２１は、奥行き方向Ｙに沿った単一の駆動ローラ軸２２３に予め定めた所定の間隔をおいて固定されている。駆動ローラ軸２２３は、操作側（正面側）及び奥側（背面側）に左右方向Ｘ及び上下方向Ｚの双方に沿ってそれぞれ立設された前側本体フレーム１１０ａ及び後側本体フレーム１１０ｂの間に前側本体フレーム１１０ａ及び後側本体フレーム１１０ｂに対して軸線回りに回転自在に架設されている。
【００４５】
駆動ローラ軸２２３の軸線方向（奥行き方向Ｙ）の一方側（この例では奥側）には、駆動ギヤ２２４が設けられている。駆動ローラ軸２２３は、駆動ギヤ２２４及び駆動ギヤ２２４に接続される中間ギヤ等の駆動伝達部材（図示省略）を介して駆動モータ（図示省略）からの駆動力が伝達されるようになっている。これにより、第１排出ローラ２２１〜２２１は、駆動モータ一からの駆動力が駆動ギヤ２２４等の駆動伝達部材を介して駆動ローラ軸２２３に伝達されることで、回転駆動されるようになっている。
【００４６】
第２排出ローラ２２２〜２２２は、従動ローラ軸２２５に固定されている。従動ローラ軸２２５は、画像形成装置本体１１０に対して軸線回りに回転自在に、かつ、第２排出ローラ２２２〜２２２が第１排出ローラ２２１〜２２１に接触又は離反する方向に移動自在に設けられている。また、従動ローラ軸２２５は、第２排出ローラ２２２〜２２２を第１排出ローラ２２１〜２２１に向けて押圧するように付勢部材２２６により付勢されるようになっている。
【００４７】
従動ローラ軸２２５は、複数（この例では２つ）に分割されている。第２排出ローラ２２２〜２２２は、分割された従動ローラ軸２２５，２２５に予め定めた所定の間隔をおいて複数（この例では２つ）ずつに分かれて設けられている。付勢部材２２６は、分割された従動ローラ軸２２５，２２５をそれぞれ付勢する複数（この例では２つ）の付勢部材とされている。
【００４８】
腰付け部材２１０は、隣り合う第１排出ローラ２２１，２２１間に設けられている。腰付け部材２１０は、両端部の第１排出ローラ２２１，２２１の両外側にも設けられている。この例では、隣り合う第１排出ローラ２２１，２２１間に設けられた腰付け部材２１０〜２１０は、隣り合う第１排出ローラ２２１，２２１の中間位置に設けられている。また、両端部の第１排出ローラ２２１，２２１の両外側に設けられた腰付け部材２１０，２１０は、両端部の第１排出ローラ２２１，２２１の両外側から、隣り合う第１排出ローラ２２１，２２１間に設けられた腰付け部材２１０の隣接する第１排出ローラ２２１との距離ｄ１と同一又は略同一の距離ｄ２だけ離れた位置に設けられている。換言すれば、第１排出ローラ２２１〜２２１は、予め定めた所定の間隔ｄ３をおいて設けられた複数の腰付け部材２１０〜２１０の隣り合う腰付け部材２１０，２１０間（この例では中間位置）に設けられている。
【００４９】
腰付け部材支持部２３０は、腰付け部材２１０〜２１０を支持する支持部２３１〜２３１と、駆動ローラ軸２２３に軸線回りに回動自在に支持される一方、第１排出ローラ２２１〜２２１の回転軸（駆動ローラ軸２２３）線の位置とは異なる位置で支持部２３１〜２３１を支持する回動部２３２〜２３２とを備えている。
【００５０】
詳しくは、腰付け部材２１０〜２１０は、腰付けローラとされている。支持部２３１〜２３１は、腰付け部材２１０〜２１０を固定する一方、回動部２３２〜２３２に軸線回りに回転自在に支持される回転軸とされている。
【００５１】
回動部２３２〜２３２は、腰付け部材２１０〜２１０の奥行き方向Ｙにおける両側で腰付け部材２１０〜２１０の支持部２３１〜２３１をそれぞれ回転自在に支持する構成とされている。この例では、回動部２３２〜２３２は、左右方向Ｘから視てコの字形状とされている。
【００５２】
駆動部１７０は、腰付け部材支持部２３０に接続されており、制御部１５０（図３参照）の指示の下、腰付け部材支持部２３０を駆動ローラ軸２２３の軸線回りに回動させるようになっている。
【００５３】
なお、図４において、説明していない符号の部材（駆動部１７０の構成部材及び接続検知部１８０の構成部材等）については、後ほど説明する。
【００５４】
図５及び図６は、第１実施形態に係る画像形成装置１００における画像形成装置本体１１０のシート排出部２００（２００Ａ）の図４に示すＡ−Ａ線に沿った断面を軸線方向（奥行き方向Ｙ）の奥側から視た概略断面図である。図５は、腰付け部材２１０〜２１０が腰付け位置に位置している状態を示しており、図６は、腰付け部材２１０〜２１０が退避位置に位置している状態を示している。なお、図５及び図６において、接続検知部１８０は図示を省略している。
【００５５】
第１実施形態に係る画像形成装置１００は、腰付け部材２１０を腰付け位置から搬送方向Ｗの下流側に退避させる構成とされている。なお、画像形成装置１００は、腰付け部材２１０を腰付け位置から搬送方向Ｗの上流側に退避させる構成とされていてもよい。
【００５６】
また、腰付け部材２１０が退避した退避位置（図６参照）は、シート搬送装置１６０における記録シートＰの搬送路Ｒへガイドする位置とされている。具体的には、シート搬送装置１６０の搬送路Ｒは、画像形成装置本体１１０の搬送路Ｒに連通しており、腰付け部材２１０が退避位置（図６参照）に位置しているときには、腰付け部材２１０の搬送路Ｒ側の端部が搬送路Ｒを構成する位置に位置している。
【００５７】
回動部２３２〜２３２は、駆動ローラ軸２２３を受ける軸受部２３３（図４から図６参照）を備えている。具体的には、回動部２３２〜２３２は、軸線方向（奥行き方向Ｙ）から視てＵ字状の形状を有している。軸受部２３３は、Ｕ字状の内側の湾曲部において駆動ローラ軸２２３を軸線回りに回動自在に嵌入するＣ型軸受とされている。回動部２３２〜２３２は、駆動ローラ軸２２３を間にして腰付け部材２１０とは反対側が連結部２３４（図４から図６参照）によって連結されている。この例では、連結部２３４は、奥行き方向の奥側が後側本体フレーム１１０ｂに設けられた貫通孔１１０ｃ（図４参照）から外側に突出している。
【００５８】
また、腰付け部材支持部２３０は、腰付け部材２１０〜２１０が腰付け位置から搬送方向Ｗの上流側又は下流側（この例では上流側）に回動することを規制する規制部２３５（図４から図６参照）と、腰付け部材２１０〜２１０が退避位置側から腰付け位置に戻るように付勢する付勢部材２３６（図４から図６参照）とを備えている。
【００５９】
規制部２３５は、腰付け部材２１０〜２１０が腰付け位置に位置しているときに駆動ローラ軸２２３を基準にして回動部２３２〜２３２の腰付け部材２１０〜２１０とは反対側、かつ、回動部２３２〜２３２の搬送方向Ｗにおける下流側端に当接するように本体フレーム（この例では前側本体フレーム１１０ａ及び後側本体フレーム１１０ｂの双方）（図４参照）に設けられている。
【００６０】
付勢部材２３６は、この例では、巻きバネとされており、一端が後側本体フレーム１１０ｂに接続され、かつ、他端が腰付け部材支持部２３０の駆動ローラ軸２２３を間にして回動部２３２〜２３２の腰付け部材２１０〜２１０とは反対側（具体的には連結部２３４）に接続されている。
【００６１】
駆動部１７０としては、電磁ソレノイドを用いたものや、回転モータを用いたものを例示できる。この例では、駆動部１７０は、電磁ソレノイドを用いたものとされている。
【００６２】
駆動部１７０は、腰付け部材２１０〜２１０が腰付け位置から搬送方向Ｗの下流側又は上流側（この例では下流側）の退避位置側に回動するように回動部２３２〜２３２を回動させる電磁ソレノイド１７１（図４から図６参照）を備えている。
【００６３】
電磁ソレノイド１７１は、ソレノイド本体１７１ａ（図４から図６参照）が後側本体フレーム１１０ｂに設けられ（図４参照）、かつ、プランジャー１７１ｂ（図４から図６参照）の先端部が腰付け部材支持部２３０の駆動ローラ軸２２３を間にして回動部２３２〜２３２の腰付け部材２１０〜２１０とは反対側（具体的には連結部２３４）に奥行き方向Ｙに沿った回動軸１７１ｃ（図４から図６参照）回りに回動自在に接続されている。
【００６４】
かかる構成を備えた画像形成装置１００では、制御部１５０（図３参照）の指示の下に電磁ソレノイド１７１が励磁されたときに、付勢部材２３６の付勢力に抗してプランジャー１７１ｂがソレノイド本体１７１ａに引き込まれ、回動部２３２〜２３２が駆動ローラ軸２２３回りに回動し、腰付け部材２１０を腰付け位置（図５参照）から退避位置（図６参照）に位置させることができる。一方、制御部１５０（図３参照）の指示の下に電磁ソレノイド１７１への励磁が解除されたときに、プランジャー１７１ｂが付勢部材２３６によりソレノイド本体１７１ａから引き出され、回動部２３２〜２３２が駆動ローラ軸２２３回りに回動し、腰付け部材２１０〜２１０を退避位置（図６参照）から腰付け位置（図５参照）に位置させることができる。
【００６５】
図７及び図８は、第１実施形態に係る画像形成装置１００における接続検知部１８０を軸線方向（奥行き方向Ｙ）から視た概略正面図である。図７は、接続検知部１８０がシート搬送装置１６０の画像形成装置本体１１０への非接続を検知している状態を示しており、図８は、接続検知部１８０がシート搬送装置１６０の画像形成装置本体１１０への接続を検知している状態を示している。なお、図７において、駆動部１７０等は図示を省略している。
【００６６】
接続検知部１８０は、制御部１５０（図３参照）に電気的に接続されるスイッチ部材１８１（図４、図７及び図８参照）と、シート搬送装置１６０が画像形成装置本体１１０に接続されているときにスイッチ部材１８１をオンする一方、シート搬送装置１６０の画像形成装置本体１１０との接続が解除されているときにスイッチ部材１８１をオフするレバー部材１８２（図４、図７及び図８参照）とを備えている。この例では、シート搬送装置１６０は、左右方向Ｘの一方側に移動して画像形成装置本体１１０に接続される一方、左右方向Ｘの他方側に移動して画像形成装置本体１１０への接続が解除されるようになっている。
【００６７】
制御部１５０は、スイッチ部材１８１がオフのときに（図７参照）シート搬送装置１６０が画像形成装置本体１１０に接続されていないことを認識することができる一方、スイッチ部材１８１がオンのときに（図８参照）シート搬送装置１６０が画像形成装置本体１１０に接続されていることを認識することができるようになっている。スイッチ部材１８１は、この例では、マイクロスイッチとされている。
【００６８】
シート搬送装置１６０は、レバー部材１８２と係合する係合部１６０ａを備えている。画像形成装置１００は、シート搬送装置１６０が画像形成装置本体１１０に接続されたときに、シート搬送装置１６０における係合部１６０ａがレバー部材１８２に係合することによりレバー部材１８２がスイッチ部材１８１をオンする構成とされている。また、画像形成装置１００は、シート搬送装置１６０の画像形成装置本体１１０への接続が解除されたときに、シート搬送装置１６０における係合部１６０ａのレバー部材１８２への係合を解除することによりレバー部材１８２によるスイッチ部材１８１のオン状態を解除する構成とされている。この例では、係合部１６０ａは、シート搬送装置１６０が画像形成装置本体１１０に接続されたときに画像形成装置本体１１０に設けられた位置決め部１１０ｄに挿通してシート搬送装置１６０を位置決めする位置決めピンと兼用している。係合部１６０ａは、シート搬送装置１６０の本体から左右方向Ｘに沿って突出している。
【００６９】
詳しくは、スイッチ部材１８１は、スイッチ可動部１８１ａ（図４、図７及び図８参照）と、スイッチ可動部１８１ａをオン又はオフするアクチュエータ１８１ｂ（図４、図７及び図８参照）とを有し、支持部材１８１ｃ（図４参照）を介して後側本体フレーム１１０ｂに設けられている。レバー部材１８２は、シート搬送装置１６０が画像形成装置本体１１０に接続されておらず係合部１６０ａが当接されていないときにスイッチ部材１８１（具体的にはスイッチ可動部１８１ａ）をオフするオフ姿勢（図７参照）と、シート搬送装置１６０が画像形成装置本体１１０に接続されていて係合部１６０ａが当接されているときにスイッチ部材１８１（具体的にはスイッチ可動部１８１ａ）をオンするオン姿勢（図８参照）とをとり得る構成とされている。
【００７０】
レバー部材１８２のオフ姿勢は、係合部１６０ａが左右方向Ｘに沿って移動する移動軌跡Ｓ（図７参照）上にレバー部材１８２が位置する姿勢とされている。レバー部材１８２のオン姿勢は、係合部１６０ａがレバー部材１８２に当接した状態で（図８参照）レバー部材１８２がスイッチ部材１８１をオンする姿勢とされている。
【００７１】
具体的には、レバー部材１８２は、駆動ローラ軸２２３に軸線回りに回動自在に支持されたレバー部材本体１８２ａ（図４、図７及び図８参照）と、レバー部材本体１８２ａに連結され、かつ、係合部１６０ａが当接される当接部１８２ｂ（図４、図７及び図８参照）とを備えている。
【００７２】
当接部１８２ｂは、レバー部材１８２がオフ姿勢（図７参照）をとるときに、移動軌跡Ｓと交差するように、かつ、シート搬送装置１６０における係合部１６０ａとは反対側に向けて移動軌跡Ｓに対して予め定めた所定の角度で傾斜するようにレバー部材本体１８２ａに設けられている。
【００７３】
接続検知部１８０は、レバー部材１８２がオフ姿勢からシート搬送装置１６０における係合部１６０ａ側に回動することを規制する規制部１８３と、レバー部材１８２がオン姿勢からオフ姿勢側に戻るようにレバー部材１８２を付勢する付勢部材１８４とを備えている。
【００７４】
規制部１８３は、レバー部材１８２がオフ姿勢をとるときに駆動ローラ軸２２３を基準にして当接部１８２ｂ側、かつ、レバー部材本体１８２ａのシート搬送装置１６０における係合部１６０ａ側端に当接するように、本体フレーム（この例では後側本体フレーム１１０ｂ）に設けられている。
【００７５】
付勢部材１８４は、この例では、巻きバネとされており、一端が本体フレーム（この例では位置決め部１１０ｄ）に接続され、かつ、他端が駆動ローラ軸２２３を基準にしてレバー部材本体１８２ａの当接部１８２ｂ側に接続されている。
【００７６】
かかる構成を備えた画像形成装置１００では、シート搬送装置１６０が画像形成装置本体１１０に接続されて係合部１６０ａが当接部１８２ｂに当接されると、レバー部材本体１８２ａが駆動ローラ軸２２３回りに回動し、レバー部材１８２がオフ姿勢（図７参照）からオン姿勢（図８参照）になってスイッチ部材１８１がオンする。これにより、制御部１５０は、シート搬送装置１６０が画像形成装置本体１１０に接続されていることを認識し、電磁ソレノイド１７１を作動させて腰付け部材２１０を退避位置（図６参照）に位置させることができる。一方、シート搬送装置１６０が画像形成装置本体１１０に接続されずに係合部１６０ａが当接部１８２ｂに当接されないと、レバー部材本体１８２ａが駆動ローラ軸２２３回りに回動し、レバー部材１８２がオン姿勢（図８参照）からオフ姿勢（図７参照）になってスイッチ部材１８１がオフする。これにより、制御部１５０は、シート搬送装置１６０が画像形成装置本体１１０に接続されていないことを認識し、電磁ソレノイド１７１の作動を停止させて腰付け部材２１０を腰付け位置（図５参照）に位置させることができる。
【００７７】
なお、第１実施形態に係る画像形成装置１００では、シート搬送装置１６０における係合部１６０ａによりレバー部材１８２を介してスイッチ部材１８１をオン又はオフするようにしたが、レバー部材１８２を設けることなく、シート搬送装置１６０における係合部１６０ａにより直接スイッチ部材１８１をオン又はオフするようにしてもよい。
【００７８】
また、第１実施形態に係る画像形成装置１００では、接続検知部１８０は、スイッチ部材１８１を含むものとし、制御部１５０は、スイッチ部材１８１のオン又はオフによりシート搬送装置１６０が画像形成装置本体１１０に接続されたか否かを認識するようになっているが、接続検知部１８０は、シート搬送装置１６０から画像形成装置本体１１０に接続する接続コネクタを含むものとし、制御部１５０は、シート搬送装置１６０から画像形成装置本体１１０に接続する接続コネクタの接続又は非接続によりシート搬送装置１６０が画像形成装置本体１１０に接続されたか否かを認識するようになっていてもよい。
【００７９】
（第２実施形態）
第２実施形態に係る画像形成装置１００は、第１実施形態に係る画像形成装置１００において、接続検知部１８０による検知結果に基づく制御部１５０による駆動部１７０に対する制御動作に代えて、シート搬送装置１６０の画像形成装置本体１１０への着脱動作に連動して腰付け部材２１０を奥行き方向Ｙに沿った軸線回りに揺動させる揺動機構を備えたものである。
【００８０】
第２実施形態に係る画像形成装置１００において、第１実施形態に係る画像形成装置１００と実質的に同じ構成には同一符号を付し、その説明を省略する。
【００８１】
第２実施形態に係るシート排出部２００（２００Ｂ）は、第１実施形態に係るシート排出部２００（２００Ａ）において、駆動部１７０及び接続検知部１８０を除去し、腰付け部材支持部２３０に代えて腰付け部材支持部２４０を備えたものである。
【００８２】
図９は、第２実施形態に係る画像形成装置１００における画像形成装置本体１１０のシート排出部２００（２００Ｂ）を排出口側から視た概略側面図である。
【００８３】
図９に示すように、腰付け部材支持部２４０は、一対の排出ローラ２２１，２２２のうちの一方（この例では第１排出ローラ２２１）の回転軸線回りに揺動自在とされる一方、腰付け部材２１０〜２１０を該一方（この例では第１排出ローラ２２１）の回転軸線の位置とは異なる位置で支持する構成とされている。
【００８４】
具体的には、腰付け部材支持部２４０は、既述した、支持部２３１〜２３１、回動部２３２〜２３２、軸受部２３３、連結部２３４、規制部２３５及び付勢部材２３６を備えている。
【００８５】
図１０及び図１１は、第２実施形態に係る画像形成装置１００における画像形成装置本体１１０のシート排出部２００（２００Ｂ）の図９に示すＢ−Ｂ線に沿った断面を軸線方向（奥行き方向Ｙ）の奥側から視た概略断面図である。図１０は、腰付け部材２１０〜２１０が腰付け位置に位置している状態を示しており、図１１は、腰付け部材２１０〜２１０が退避位置に位置している状態を示している。
【００８６】
第２実施形態に係る画像形成装置１００は、腰付け部材２１０〜２１０を腰付け位置から搬送方向Ｗの下流側に退避させる構成とされている。なお、画像形成装置１００は、腰付け部材２１０〜２１０を腰付け位置から搬送方向Ｗの上流側に退避させる構成とされていてもよい。
【００８７】
また、腰付け部材２１０〜２１０が退避した退避位置（図１１参照）は、シート搬送装置１６０における記録シートＰの搬送路Ｒへガイドする位置とされている。具体的には、シート搬送装置１６０の搬送路Ｒは、画像形成装置本体１１０の搬送路Ｒに連通しており、腰付け部材２１０〜２１０が退避位置（図１１参照）に位置しているときには、腰付け部材２１０〜２１０の搬送路Ｒ側の端部が搬送路Ｒを構成する位置に位置している。
【００８８】
第２実施形態に係る画像形成装置１００は、シート搬送装置１６０が画像形成装置本体１１０に接続されたときに、シート搬送装置１６０における係合部１６０ａが腰付け部材支持部２４０に係合することにより腰付け部材２１０〜２１０を腰付け位置から退避させる構成とされている。また、第２実施形態に係る画像形成装置１００は、シート搬送装置１６０の画像形成装置本体１１０への接続が解除されたときに、シート搬送装置１６０における係合部１６０ａの腰付け部材支持部２４０への係合を解除することにより腰付け部材２１０を退避位置から腰付け位置に戻す構成とされている。
【００８９】
詳しくは、腰付け部材支持部２４０は、シート搬送装置１６０が画像形成装置本体１１０に接続されておらず係合部１６０ａが当接されていないときに腰付け部材２１０〜２１０を腰付け位置に位置させる腰付け姿勢（図１０参照）と、シート搬送装置１６０が画像形成装置本体１１０に接続されていて係合部１６０ａが当接されているときに腰付け部材２１０〜２１０を退避位置に位置させる退避姿勢（図１１参照）とをとり得る構成とされている。
【００９０】
腰付け部材支持部２４０の腰付け姿勢は、係合部１６０ａが左右方向Ｘに沿って移動する移動軌跡Ｓ（図１０参照）上に腰付け部材支持部２４０が位置する姿勢とされている。腰付け部材支持部２４０の退避姿勢は、係合部１６０ａが腰付け部材支持部２４０に当接した状態（図１１参照）で腰付け部材支持部２４０が腰付け部材２１０〜２１０を退避させる姿勢とされている。
【００９１】
具体的には、腰付け部材支持部２４０は、既述の、支持部２３１〜２３１、回動部２３２〜２３２、軸受部２３３、連結部２３４、規制部２３５及び付勢部材２３６に加えて、当接部２４１（図９から図１１参照）をさらに備えている。当接部２４１は、連結部２３４に連結され、かつ、係合部１６０ａが当接されるようになっている。
【００９２】
当接部２４１は、腰付け部材支持部２４０が腰付け姿勢（図１０参照）をとるときに、移動軌跡Ｓと交差するように、かつ、シート搬送装置１６０における係合部１６０ａとは反対側に向けて移動軌跡Ｓに対して予め定めた所定の角度で傾斜するように連結部２３４に設けられている。
【００９３】
かかる構成を備えた画像形成装置１００では、シート搬送装置１６０が画像形成装置本体１１０に接続されて係合部１６０ａが当接部２４１に当接されると、回動部２３２〜２３２が駆動ローラ軸２２３回りに回動し、腰付け部材支持部２４０が腰付け姿勢（図１０参照）から退避姿勢（図１１参照）になる。これにより、腰付け部材支持部２４０は、腰付け部材２１０〜２１０を腰付け位置（図１０参照）から退避位置（図１１参照）に位置させることができることができる。一方、シート搬送装置１６０が画像形成装置本体１１０に接続されずに係合部１６０ａが当接部２４１に当接されないと、回動部２３２〜２３２が駆動ローラ軸２２３回りに回動し、腰付け部材支持部２４０が退避姿勢（図１１参照）から腰付け姿勢（図１０参照）になる。これにより、腰付け部材支持部２４０は、腰付け部材２１０〜２１０を退避位置（図１１参照）から腰付け位置（図１０参照）に位置させることができることができる。
【００９４】
（第３実施形態）
第１実施形態及び第２実施形態では、シート搬送装置１６０はインナーフィニッシャー１６１とされているが、第３実施形態では、画像形成装置本体１１０からの記録シートＰをオプション装置１９０に向けて搬送するインナー中継搬送装置１６２とされている。
【００９５】
図１２は、画像形成装置本体１１０からの記録シートＰをオプション装置１９０に向けて搬送するインナー中継搬送装置１６２を備えた第３実施形態に係る画像形成装置１００を模式的に示す正面図である。
【００９６】
図１２に示すように、第３実施形態に係る画像形成装置１００において、オプション装置１９０は、インサーター１９１、大容量スタッカー１９２、紙折りユニット１９３、パンチユニット１９４及びアウターフィニッシャー１９５のうちの少なくとも一つ（図１２の例では全て）を含んでいる。インサーター１９１、大容量スタッカー１９２、紙折りユニット１９３、パンチユニット１９４及びアウターフィニッシャー１９５は、何れもインナー中継搬送装置１６２に着脱可能に接続される。
【００９７】
図１２では、インサーター１９１がインナー中継搬送装置１６２に着脱可能に接続され、大容量スタッカー１９２がインサーター１９１に着脱可能に接続され、紙折りユニット１９３が大容量スタッカー１９２に着脱可能に接続され、パンチユニット１９４が紙折りユニット１９３に着脱可能に接続され、また、アウターフィニッシャー１９５がパンチユニット１９４に着脱可能に接続される例を示している。
【００９８】
図１３は、図１２に示すオプション装置１９０のうちのアウターフィニッシャー１９５がインナー中継搬送装置１６２を介して画像形成装置本体１１０に接続される状態の第３実施形態に係る画像形成装置１００の概略構成を示す正面図である。
【００９９】
図１３では、アウターフィニッシャー１９５がインナー中継搬送装置１６２に着脱可能に接続される例を示している。
【０１００】
（本実施の形態について）
以上説明した第１実施形態から第３実施形態に係る画像形成装置１００によれば、シート搬送装置１６０（１６１，１６２）が画像形成装置本体１１０に接続されたときに、シート排出部２００（２００Ａ，２００Ｂ）における腰付け部材２１０を腰付け位置から退避させる構成とされているので、シート搬送装置１６０（１６１，１６２）が画像形成装置本体１１０に装着されるごとの腰付け部材２１０のシート排出部２００（２００Ａ，２００Ｂ）からの取り外し作業の手間を省くことができ、また、腰付け部材２１０のシート排出部２００（２００Ａ，２００Ｂ）からの取り外し作業を気にすることなく、シート搬送装置１６０（１６１，１６２）を画像形成装置本体１１０に装着することができ、従って、腰付け部材２１０のシート排出部２００（２００Ａ，２００Ｂ）からの取り忘れによる記録シートＰの搬送性の低下といった不都合を効果的に防止することができる。
【０１０１】
ところで、腰付け部材２１０を退避位置から搬送方向Ｗの上流側に退避させてもよいが、該上流側には、腰付け部材２１０を配置するスペースが少ないことが多い。一方、搬送方向Ｗの下流側には、通常はスペースに余裕があり、腰付け部材２１０を配置し易い。
【０１０２】
従って、第１実施形態から第３実施形態に係る画像形成装置１００では、腰付け部材２１０を腰付け位置から搬送方向Ｗの下流側に退避させることで、該下流側のスペースを有効に利用することができる。
【０１０３】
また、第１実施形態から第３実施形態に係る画像形成装置１００では、シート排出部２００（２００Ａ，２００Ｂ）は、記録シートＰを排出する排出ローラ２２１と、排出ローラ２２１の回転軸線回りに揺動自在とされる一方、腰付け部材２１０を排出ローラ２２１の回転軸線の位置とは異なる位置で支持する腰付け部材支持部２３０，２４０とを備えていることで、簡単な構成でありながら、腰付け部材支持部２３０，２４０を排出ローラ２２１の回転軸線回りに揺動させることができ、これにより、腰付け部材支持部２３０，２４０の排出ローラ２２１の回転軸線回りの揺動によって腰付け部材支持部２３０，２４０の排出ローラ２２１の回転軸線の位置とは異なる位置で支持された腰付け部材２１０を記録シートＰの搬送路Ｒから容易に退避させることが可能となる。
【０１０４】
また、第１実施形態の構成を含む画像形成装置１００では、腰付け部材２１０を移動させるための駆動部１７０と、シート搬送装置１６０（１６１，１６２）が画像形成装置本体１１０に接続されたか否かを検知する接続検知部１８０とを備え、接続検知部１８０による検知結果によりシート搬送装置１６０（１６１，１６２）が画像形成装置本体１１０に接続されたことを検出すると、駆動部１７０を駆動して腰付け部材２１０を腰付け位置から退避させることで、腰付け部材２１０を腰付け位置から確実に退避させることが可能となる。
【０１０５】
また、第２実施形態の構成を含む画像形成装置１００では、シート搬送装置１６０（１６１，１６２）は、腰付け部材支持部２４０と係合する係合部１６０ａを備え、シート搬送装置１６０（１６１，１６２）が画像形成装置本体１１０に接続されたときに、シート搬送装置１６０（１６１，１６２）における係合部１６０ａが腰付け部材支持部２４０に係合することにより腰付け部材２１０を腰付け位置から退避させる構成とされていることで、シート搬送装置１６０（１６１，１６２）が画像形成装置本体１１０に接続されたときに、係合部１６０ａの腰付け部材支持部２４０への係合により腰付け部材支持部２４０を排出ローラ２２１の回転軸線回りに揺動させることができ、これにより、腰付け部材２１０を腰付け位置から簡単にかつ容易に退避させることができる。
【０１０６】
また、第１実施形態から第３実施形態に係る画像形成装置１００では、腰付け部材２１０が退避した退避位置は、シート搬送装置１６０（１６１，１６２）における記録シートＰの搬送路Ｒへガイドする位置とされていることで、シート排出部２００（２００Ａ，２００Ｂ）から送られてくる記録シートＰを円滑にシート搬送装置１６０（１６１，１６２）における記録シートＰの搬送路Ｒに導くことができる。
【０１０７】
また、第１実施形態から第３実施形態に係る画像形成装置１００では、シート搬送装置１６０（１６１，１６２）の画像形成装置本体１１０への接続が解除されたときに、シート排出部２００（２００Ａ，２００Ｂ）における腰付け部材２１０を腰付け部材２１０の退避位置から腰付け位置に戻す構成とされていることで、シート搬送装置１６０（１６１，１６２）が画像形成装置本体１１０から離脱されるごとに腰付け部材２１０を腰付け位置に戻す作業の手間を省くことができる。
【０１０８】
また、第１実施形態から第３実施形態に係る画像形成装置１００では、シート搬送装置１６０（１６１，１６２）が画像形成装置本体１１０の胴内に装着される構成とされていることで、画像形成装置１００の小型化を実現することができる。
【０１０９】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１１０】
１００    画像形成装置
１１０    画像形成装置本体
１１０ａ  前側本体フレーム
１１０ｂ  後側本体フレーム
１１０ｃ  貫通孔
１１０ｄ  位置決め部
１１１    シート収容部
１１２    シート搬送部
１１３    画像形成部
１２０    原稿読取装置
１２１    原稿載置台
１２２    原稿読取部
１２３    原稿自動送り装置
１５０    制御部
１５１    処理部
１５２    記憶部
１６０    シート搬送装置
１６０ａ  係合部
１６１    インナーフィニッシャー
１６２    インナー中継搬送装置
１７０    駆動部
１７１    電磁ソレノイド
１７１ａ  ソレノイド本体
１７１ｂ  プランジャー
１７１ｃ  回動軸
１８０    接続検知部
１８１    スイッチ部材
１８１ａ  スイッチ可動部
１８１ｂ  アクチュエータ
１８１ｃ  支持部材
１８２    レバー部材
１８２ａ  レバー部材本体
１８２ｂ  当接部
１８３    規制部
１８４    付勢部材
１９０    オプション装置
１９１    インサーター
１９２    大容量スタッカー
１９３    紙折りユニット
１９４    パンチユニット
１９５    アウターフィニッシャー
２００    シート排出部
２１０    腰付け部材
２２０    排出ローラ
２２１    第１排出ローラ
２２２    第２排出ローラ
２２３    駆動ローラ軸
２２４    駆動ギヤ
２２５    従動ローラ軸
２２６    付勢部材
２３０    腰付け部材支持部
２３１    支持部
２３２    回動部
２３３    軸受部
２３４    連結部
２３５    規制部
２３６    付勢部材
２４０    腰付け部材支持部
２４１    当接部
Ｐ        記録シート
Ｒ        搬送路
Ｓ        移動軌跡
Ｖ        直交方向
Ｗ        搬送方向
Ｘ        左右方向
Ｙ        奥行き方向
Ｚ        上下方向
α        胴内
【図１】
0006425507.tif 000002
【図２】
0006425507.tif 000003
【図３】
0006425507.tif 000004
【図４】
0006425507.tif 000005
【図５】
0006425507.tif 000006
【図６】
0006425507.tif 000007
【図７】
0006425507.tif 000008
【図８】
0006425507.tif 000009
【図９】
0006425507.tif 000010
【図１０】
0006425507.tif 000011
【図１１】
0006425507.tif 000012
【図１２】
0006425507.tif 000013
【図１３】
0006425507.tif 000014
【図１４】
0006425507.tif 000015
【図１５】
0006425507.tif 000016
【図１６】
0006425507.tif 000017
【図１７】
0006425507.tif 000018